(57)【要約】  【課題】  調剤した薬剤の数量の検査時に、作業者の人為的ミスによる過誤を無くする。  【解決手段】  電子天秤１４と、薬剤の品目毎の符号化データを読取るバーコードリーダ１５と、データ入力のための情報端末１３と、処方箋に記入されている年月日、患者名、該患者毎に処方された薬剤の品目、処方数量、投薬回数等の処方データと、薬剤の品目毎の符号化データと、薬剤の同一品目毎の薬剤単位重量のデータとを記憶させた電子処理装置１ｂとを備え、収集した同一品目の薬剤の収集総重量を前記電子天秤１５で秤量し、電子処理装置１ｂは、処方データにおける薬剤の品目と同一の前記収集した薬剤の品目について、電子天秤１５で得られた収集総重量のデータを前記薬剤単位重量のデータで除した計測薬剤数量と、薬剤の処方数量とを比較演算し、薬剤の処方数量の過不足を判定し、画面表示部１８には、処方された薬剤の同一品目毎の前記判定結果を表示する。  【選択図】  図１
2004216144.tif 000002
【特許請求の範囲】
【請求項１】
薬剤の同一品目毎の薬剤単位重量のデータと、当該薬剤の品目データとを対にして予め記憶させる一方、
処方箋に基づく処方データにおける薬剤の品目と、収集した薬剤の品目との同一性を照合した後、
収集した一品目または複数品目の薬剤の収集総重量を秤量し、
該収集総重量を前記薬剤単位重量にて除した計測薬剤数量と、薬剤の処方数量とを比較して、調剤した薬剤の数量の適否を鑑査する調剤の数量鑑査方法。
【請求項２】
薬剤の同一品目毎の薬剤単位重量のデータと、当該薬剤の品目データとを対にして予め記憶させる一方、
処方箋に基づく処方データにおける薬剤の品目と、収集した薬剤の品目との同一性を照合した後、
収集した一品目または複数品目の薬剤の収集総重量を秤量し、
前記品目毎の薬剤単位重量に薬剤の処方数量を乗じた値の総和値と、前記収集総重量との比較により、調剤した薬剤の数量の適否を鑑査する調剤の数量鑑査方法。
【請求項３】
前記薬剤単位重量は、薬剤の同一品目毎に包装された最小包装単位重量または裸錠単位重量であることを特徴とする請求項１また２に記載の調剤の数量鑑査方法。
【請求項４】
同一品目毎の薬剤を包装した集合包装体を秤量し、その薬剤数で除して最小包装単位重量のデータを得ることを特徴とする請求項１乃至３のいずれかに記載の調剤の数量鑑査方法。
【請求項５】
電子天秤装置と、
薬剤の品目毎の符号化データを読取るためのバーコードリーダ等の読取り手段と、データ入力のための情報端末と、
処方箋に記入されている年月日、患者名、該患者ごとに処方された薬剤の品目、処方数量、投薬回数等の処方データと、薬剤の品目毎の符号化データと、薬剤の同一品目毎の薬剤単位重量のデータとを記憶させた電子処理装置とを備え、
収集した一品目または複数品目の薬剤の収集総重量を前記電子天秤装置で秤量し、
前記電子処理装置は、処方データにおける薬剤の品目と同一の前記収集した薬剤の品目について、電子天秤装置で得られた収集総重量のデータを前記薬剤単位重量のデータにて除した計測薬剤数量と、薬剤の処方数量とを比較演算して、薬剤の処方数量の適否を判定するように構成し、
前記処方された薬剤に対する前記判定結果を表示させるための表示装置を備えたことを特徴とする調剤の数量鑑査装置。
【請求項６】
電子天秤装置と、
薬剤の品目毎の符号化データを読取るためのバーコードリーダ等の読取り手段と、データ入力のための情報端末と、
処方箋に記入されている年月日、患者名、該患者ごとに処方された薬剤の品目、処方数量、投薬回数等の処方データと、薬剤の品目毎の符号化データと、薬剤の同一品目毎の薬剤単位重量のデータとを記憶させた電子処理装置とを備え、
収集した複数品目の薬剤の収集総重量を前記電子天秤装置で秤量し、
前記電子処理装置は、処方データにおける薬剤の品目と同一の前記収集した薬剤の品目について、
収集した一品目または複数品目の薬剤の収集総重量を秤量し、
前記品目毎の薬剤単位重量に薬剤の処方数量を乗じた値の総和値と、前記収集総重量との比較演算により、調剤した薬剤の数量の適否を判定するように構成し、
前記処方された薬剤に対する前記判定結果を表示させるための表示装置を備えたことを特徴とする調剤の数量鑑査装置。
【請求項７】
前記電子天秤装置にて同一品目毎の薬剤を包装した集合包装体を秤量し、その薬剤数で除して得た最小包装単位重量のデータを、前記電子処理装置に記憶させることを特徴とする請求項５または６に記載の調剤の数量鑑査装置。
【発明の詳細な説明】
【技術分野】
【０００１】
本発明は、調剤薬局、病院、診療所等において、調剤した薬剤を誤りなく患者に手交できるようにする方法及びそのための装置に係り、より詳しくは、調剤した薬剤の数量の誤りをなくするための調剤の数量の鑑査方法及び鑑査装置に関するものである。
【背景技術】
【０００２】
従来から、医薬分業制度の元、病院、医院、診療所にて発行された処方箋を、患者が調剤薬局に持ち込むと、調剤薬局では、その処方箋を見ながら調剤し、所定の医薬品（以下単に薬剤という）を処方された量だけ患者ごとにまとめて手渡すようにしていた。
【０００３】
その場合、調剤した薬剤の数量の過誤をなくするための方法または装置として、例えば、特許文献１では、収納棚に各々設けられており、該収納棚に収納される錠剤の種類を特定するデータが記憶された記憶媒体（バーコード等）と、処方箋データを錠剤の種類及び個数に応じた符号化データに変換する処理手段を備える第１端末装置と、収納棚に各々設けられており、該収納棚に収納される錠剤の種類を符号化データのうち錠剤の種類を特定するデータにより掲示する掲示手段と、第１端末装置から送信された符号化データを表示する表示手段と、前記バーコード等の記録媒体を読取る読取り手段と、取り出した錠剤の個数を入力する入力手段と、読取り手段と入力手段とから各々入力された錠剤の種類と個数とを特定するデータと第１端末装置から送信された符号化データ中の錠剤の種類と個数とを特定するデータとを各々比較して結果を出力する比較出力手段とを備える第２端末装置とを有するものが開示されている。
【０００４】
他方、特許文献２では、複数の収納部に物品を種類別に収納し、収納物品の重量を計測する重量計を設け、重量計を管理コンピュータに接続する。管理コンピュータは、取り出そうとする物品の種類及び個数が入力されたとき、重量計で得られたその物品の重量を受け取り、その物品の取り出し終了後に、同じ収納部の物品の重量を前記重量計から受け取り、取り出し前と取り出し後との重量差を、予め入力された物品の単位重量で除して得た値が、入力された個数と異なるときに警報を発するように構成したものが開示されている。
【特許文献１】特開２００２−２７２８１４号公報
【特許文献２】特開２００１−２２５９２４号公報
【発明の開示】
【発明が解決しようとする課題】
【０００５】
しかしながら、前記特許文献１に記載の構成によると、作業者が取り出した錠剤の種類は、各収納棚に設けられたバーコードを読取り手段で読み取って、処方箋データから得た符号化データと比較するから、取り出すべき錠剤の種類の誤りは無くすることができても、取り出すべき錠剤の個数を作業者自身が入力するので、例えば、作業者自身の勘違いで、処方箋に記載の錠剤の個数より多く（又は少なく）取り出したにも拘らず、作業者が処方箋に記載の錠剤の個数を入力してしまうと、これを正しいものと第１端末装置がみなす結果、前記符号化データと照合しても、錠剤の個数の誤りを鑑査できないという問題があった。
【０００６】
他方、特許文献２に記載の構成でも、作業者が、取り出そうとする物品の種類及び個数を入力するから、その時の入力間違いや勘違いがあって、その間違い（勘違い）の個数だけの薬剤を作業者が取り出してしまうと、正しいと判断してしまうという問題は解決できないのであった。
【０００７】
本発明は、前記従来の技術の問題点を解決すべくなされたものであって、薬剤をその包装体に収納された状態で調剤する（処方された必要個数を収集する）業務の後に、薬剤師が処方箋に記載されたデータとの照合作業が簡単で、且つ収集され薬剤の数の誤りを確実に鑑査できる方法及びそのための装置を提供することを目的とするものである。
【課題を解決するための手段】
【０００８】
前記目的を達成するため、請求項１に記載の発明の調剤の数量鑑査方法は、薬剤の同一品目毎の薬剤単位重量のデータと、当該薬剤の品目データとを対にして予め記憶させる一方、処方箋に基づく処方データにおける薬剤の品目と、収集した薬剤の品目との同一性を照合した後、収集した一品目または複数品目の薬剤の収集総重量を秤量し、該収集総重量を前記薬剤単位重量にて除した計測薬剤数量と、薬剤の処方数量とを比較して、調剤した薬剤の数量の適否を鑑査するものである。
【０００９】
前記目的を達成するため、請求項２に記載の発明の調剤の数量鑑査方法は、薬剤の同一品目毎の薬剤単位重量のデータと、当該薬剤の品目データとを対にして予め記憶させる一方、処方箋に基づく処方データにおける薬剤の品目と、収集した薬剤の品目との同一性を照合した後、収集した一品目または複数品目の薬剤の収集総重量を秤量し、前記品目毎の薬剤単位重量に薬剤の処方数量を乗じた値の総和値と、前記収集総重量との比較により、調剤した薬剤の数量の適否を鑑査するものである。この比較演算は、前記総和値と、前記収集総重量との割り算（除算）のほか、百分比率もしくは引き算であっても良い。
【００１０】
そして、請求項３に記載の発明は、請求項１または２に記載の調剤の数量鑑査方法において、前記薬剤単位重量は、薬剤の同一品目毎に包装された最小包装単位重量または裸錠単位重量であることを特徴とするものである。
【００１１】
また、請求項４に記載の発明は、請求項１乃至３いずれかに記載の調剤の数量鑑査方法において、同一品目毎の薬剤を包装した集合包装体を秤量し、その薬剤数で除して最小包装単位重量のデータを得るものである。
【００１２】
他方、請求項５に記載の発明の調剤の数量鑑査装置は、電子天秤装置と、薬剤の品目毎の符号化データを読取るためのバーコードリーダ等の読取り手段と、データ入力のための情報端末と、処方箋に記入されている年月日、患者名、該患者ごとに処方された薬剤の品目、処方数量、投薬回数等の処方データと、薬剤の品目毎の符号化データと、薬剤の同一品目毎の薬剤単位重量のデータとを記憶させた電子処理装置とを備え、収集した一品目または複数品目の薬剤の収集総重量を前記電子天秤装置で秤量し、前記電子処理装置は、処方データにおける薬剤の品目と同一の前記収集した薬剤の品目について、電子天秤装置で得られた収集総重量のデータを前記薬剤単位重量のデータにて除した計測薬剤数量と、薬剤の処方数量とを比較演算して、薬剤の処方数量の適否を判定するように構成し、前記処方された薬剤に対する前記判定結果を表示させるための表示装置を備えたものである。
【００１３】
請求項６に記載の発明の調剤の数量鑑査装置は、電子天秤装置と、薬剤の品目毎の符号化データを読取るためのバーコードリーダ等の読取り手段と、データ入力のための情報端末と、処方箋に記入されている年月日、患者名、該患者ごとに処方された薬剤の品目、処方数量、投薬回数等の処方データと、薬剤の品目毎の符号化データと、薬剤の同一品目毎の薬剤単位重量のデータとを記憶させた電子処理装置とを備え、収集した複数品目の薬剤の収集総重量を前記電子天秤装置で秤量し、前記電子処理装置は、処方データにおける薬剤の品目と同一の前記収集した薬剤の品目について、収集した一品目または複数品目の薬剤の収集総重量を秤量し、前記品目毎の薬剤単位重量に薬剤の処方数量を乗じた値の総和値と、前記収集総重量との比較演算により、調剤した薬剤の数量の適否を判定するように構成し、前記処方された薬剤に対する前記判定結果を表示させるための表示装置を備えたものである。この比較演算は、前記総和値と、前記収集総重量との割り算（除算）のほか、百分比率であっても良い。
【００１４】
また、請求項７に記載の発明は、請求項５または６に記載の調剤の数量鑑査装置において、前記電子天秤装置にて同一品目毎の薬剤を包装した集合包装体を秤量し、その薬剤数で除して得た最小包装単位重量のデータを、前記電子処理装置に記憶させるものである。
【発明の効果】
【００１５】
請求項１に記載の発明の方法によれば、一品目毎の薬剤を包装した状態のものまたは複数品目の薬剤を分包として包装したものであって、且つ収集した薬剤の総量を重量として計量し、その収集総重量を薬剤単位重量にて除した計測薬剤数量と、予めデータとして記憶されている薬剤の処方数量とを比較して、調剤した薬剤の数量が適正なものか否かを鑑査するから、従来のような作業者による入力間違いや勘違い等による人為的誤りが発生せず、調剤ミスを飛躍的に減少させることができるという効果を奏する。
【００１６】
請求項２に記載の発明の方法によれば、処方箋に基づく処方データにおける薬剤の品目と、収集した薬剤の品目との同一性を照合して、薬剤の品目についての収集したものに誤りがないことを確認した後、収集した一品目または複数品目の薬剤の収集総重量を秤量し、前記品目毎の薬剤単位重量に薬剤の処方数量を乗じた値の総和値と、前記収集総重量とを比較すれば、その比較値が薬剤の数量そのものでなくても、正確且つ確実に調剤した薬剤の数量の適否を鑑査できるのである。
【００１７】
請求項３に記載の発明の方法によれば、数量鑑査のデータベースである薬剤単位重量のデータは、患者に提供される包装形態である薬剤の同一品目毎に包装された最小包装単位重量または裸錠単位重量であるから、厚生労働省が推奨する調剤業務の流れに沿った計数鑑査を実現できる。また、異種（複数品目）の薬剤を服用方法などに応じて１包化する場合に、その１包化作業に先立って、これらの薬剤を裸錠状態にて簡単且つ正確に計数確認できるという効果も奏する。
【００１８】
また、請求項４に記載の発明によれば、同一品目毎の薬剤を包装した集合包装体を秤量し、その薬剤数で除して最小包装単位重量のデータを得るものであるから、いままで扱っていなかった新しい薬剤についても薬剤単位重量のデータを簡単に、且つ正確に取得できるという効果を奏する。
【００１９】
請求項５及び６に記載の発明の装置によれば、処方箋に基づいて収集した薬剤の品目を処方箋に記載の品目と同一か否かのチェックを行えると共に、一品目または複数品目の薬剤についての収集したものの重量を計測（秤量）し、所定の演算を実行するだけで、収集した薬剤の数量に誤りがあったか否か（適否）が簡単、確実、且つ正確に確認できる。従って、従来のような作業者による入力間違いや勘違い等による人為的誤りが発生しないピッキング鑑査を実現することができ、且つピッキング作業のミスを解消するための装置と連動させてピッキング鑑査システムを構築することも簡単に行えるという効果を奏する。また、表示装置に鑑査の判定が表示されるから、視覚により、鑑査状態を確実且つ容易に認識できるという効果を奏する。
【００２０】
さらに、請求項７に記載の発明の装置によれば、いままで扱っていなかった新しい薬剤についても薬剤単位重量のデータをも、半自動的に、簡単に、且つ正確に取得できるという効果を奏する。
【発明を実施するための最良の形態】
【００２１】
次に、本発明を具体化した実施形態を説明すると、図１は本発明の実施形態に係る調剤検品及び薬剤の数量鑑査のためのシステムの概略図、図２は収集済みの薬剤の束状態及びその重量計測状態を示す図、図３は調剤作業のメインフローを示すフローチャート、図４は薬剤のピッキング鑑査（数量鑑査）のためのシステムのブロック図、図５はピッキング鑑査（数量鑑査）のサブルーチンフローチャート、図６〜図１５は重量計測による薬剤数量鑑査時の画面表示部における表示画面である。
【００２２】
本発明の検品システムの概要について、図１を参照しながら説明する。図１において、会計用、健康保険請求業務用を含む薬価計算用（以下、レセプト用という）電子処理装置（コンピュータ）１ａと、薬剤検品及び薬剤鑑査用のプログラムと通信用のプログラム等とがインストールされた電子処理装置（コンピュータ）１ｂと、無線ＬＡＮアクセスポイント３とを有線ＬＡＮ（有線式のローカル  エリア  ネットワーク）４にて接続する一方、無線ＬＡＮアクセスポイント３と情報端末としての複数の携帯用のハンディターミナル５を無線ＬＡＮ（無線によるローカル  エリア  ネットワーク）６を介して接続する。
【００２３】
そして、前記有線ＬＡＮ４もしくは無線ＬＡＮ６には、後述する散薬を調剤するための情報端末としてのタッチパネル付き小型（携帯可能な）のコンピュータ７、電子式秤量装置（電子天秤）８、バーコード等のコード読取り装置９、インターネット１０に接続するための、ＩＳＤＮまたはＡＤＳＬ用等のモデム機能付きルータ１１、プリンタ１２、及び後述するピッキング鑑査（数量鑑査）のためのタッチパネル付き小型（携帯可能な）コンピュータ１３、電子式秤量装置（電子天秤）１４、バーコード読取り装置（バーコードリーダ）１５が接続されている。前記ルータ１１には、インターネット１０のを介して外部からの不法なアクセスに対する防護機能としてのゲートウエイ機能等のセキュリテイ機能を備えている。
【００２４】
レセプト用コンピュータ１ａは、レセプト用のプログラムがインストールされているものであり、コンピュータ１ｂはパーソナルコンピュータまたはＷｅｂサーバー用コンピュータであっても良い。前記複数のプログラムを１つのコンピュータにまとめて１つのサーバー用コンピュータにインストールしても良い。本発明にいう電子処理装置１とは、これらのものを含めていい、複数のコンピュータであっても良い。これら電子処理装置１には、ＣＲＴや液晶パネル等の画面表示装置１６やキーボード１７、マウス等の入力装置を備えることは勿論である。
【００２５】
他方、無線ＬＡＮアクセスポイント３は、建物内で電波の届く範囲が限られていることから、複数個備えていても良い。
【００２６】
なお、病院、診療所等で本システムを使用する場合、無線ＬＡＮの搬送周波数として、現在のＰＨＳ（携帯電話）で使用している周波数（現在病院内での使用が認められているもの）等の、他の電子式医療器具に対する弊害（電波妨害）が発生しない周波数を使用することが好ましい。
【００２７】
本発明における電子処理装置１と、情報端末であるハンディターミナル５、小型コンピュータ７、１３との関係は、インターネット上におけるサーバーコンピュータと、クライアントパソコンとの関係に類似し、双方向通信できるものである。即ち、本発明における通信形態は、インターネットの枠組みを社内に応用した、いわゆるイントラネット（Intranet) である。前記薬剤検品用のプログラムが記憶されている電子処理装置１は、ＷＷＷのＷｅｂ閲覧ソフトやＣＧＩ（Common Gateway Interface) 等を備え、後述する各種演算処理及び演算結果のデータをＨＴＭＬ言語で作成し、クライアント（ハンディターミナル５、小型コンピュータ７、１３等の情報端末）の要求により、ハンディターミナル５等に対して伝送するものであり、ハンディターミナル５、小型コンピュータ７、１３では画像データに復元されて表示できるし、情報端末側から入力したデータを電子処理装置１に送ることもできる。また、ハンディターミナル５や小型コンピュータ７、１３の情報端末には、後述するバーコードなどの記録媒体を読取るスキャナ機能、双方向通信機能を有すると共に、液晶パネルの画面表示部１８と各種操作のためのキー入力部１９とを備えて良い。前記画面表示部１８はその画面の個所を指でタッチすることにより、所定の信号入力できるタッチパネル構造である。従って、画面表示部１８は信号入力部としても機能する。さらに、ハンディターミナル５や小型コンピュータ７、１３には、図示しないが、音声発生装置及び／又は携帯用であるときには装置全体を振動させることができる起振装置を備えている。
【００２８】
薬剤（錠剤、散剤（散薬）、顆粒、細粒、シロップ、舌下剤、貼り薬、塗り薬、坐薬、注射液、点滴用液、輸血液等の医薬品をいう、以下同じ）は、該薬剤の形態が錠剤、カプセルの場合には、ブリスタ包装体、プレススルーパック（ＰＴＰ包装体）に収納されており、顆粒、細粒等の散薬の形態のものは、２枚のアルミ箔積層シートまたは樹脂製シートの間に入れて４側辺を熱シールしたシール包装体に収納されており、シロップ、注射薬等の液体状のものはアンプル体等の瓶に入れられ、点滴用液、輸血液等の液体で容量の大きいものは樹脂製包装体等に収納され、塗り薬等の粘液体はチューブ状包装体に収納されている。従って、以下に述べる薬剤収納体は、前記各包装体そのものであっても良いし、それらを複数収納できる上方開放状の箱体や段ボール箱であっても良い。
【００２９】
ところで、製薬会社では、医薬品（薬剤）の品質管理、在庫管理や物流管理等のために、前記段ボール箱等の適当な包装箱（薬品箱）の表面には、薬剤の品目（薬剤の製品名（薬剤名）、薬剤の規格（有効成分含有量、薬剤の形態、最小包装体内に含まれる個数などの量）を含むものをいう、以下、薬剤品目または単に品目という）毎にこれを特定するための統一された薬剤バーコードを印刷し、またはその薬剤バーコードを表示したバーコードラベルが貼着されている。例えば、同じ製造会社で、且つ薬剤名が同じであっても、有効成分含有量の相違（例えば有効成分が１mgのものと2mg のものとの相違) や薬剤の形態の相違（錠剤と散剤との相違等）でもコード番号が異なる。なお、前記薬剤バーコードが印刷された箇所または薬剤バーコードを表示したバーコードラベルを、バーコード部という。
【００３０】
バーコード（バーコードシンボルともいう、以下同じ）は、日本のＪＩＳ規格によるＪＡＮ(Japan Articl Number) コードまたはＩＴＦ(Interleaved Tow of Five) コードが一般的であり、ＪＡＮコードでは、国名、会社名、商品名（商品アイテム）、チェック（ディジット）文字の合計１３個（桁）の数字を白バーと黒バーとの組み合わせで表示するものであり、ＩＴＦコードはＪＡＮコードに１〜２桁の物流識別コードを付加したものである。
【００３１】
この種のバーコードは国際的にも統一されており、薬剤の品目毎に特定できるコードであるので、電子処理装置（以下、単にコンピュータという）１のメモリ（例えばハードディスク）には、前記ＪＡＮコードと薬剤の品目名との対応関係を示すデータベースが予め記憶されている。また、少なくとも前記レセプト用のコンピュータ１ａのメモリ（例えばハードディスクをいう以下同じ）には、前記データベースに加えて、薬剤の製品名と旧厚生省コード（現厚生・労働省コード、薬価基準収蔵医薬品コードともいう）とが対応するようにデータベースが格納されており、前記コンピュータ１のメモリ内に、前記旧厚生省コードとＪＡＮコードとが対応付けされたデータが格納されていると、ハンディターミナル５にて読み取ったＪＡＮコードが旧厚生省コードと対応していることが判別できれば、製薬会社が異なっていても少なくとも薬効が同じ薬剤を選択できることになる。これに加えて、前記の検品システムのプログラムを記憶させて、薬剤の品目ごとの在庫管理を行う。なお、本発明においては、バーコードは、上記に説明したもの他、財団法人医療情報システム開発センターが発行している基準コード（ＨＯＴコード）等の各種のバーコードを使用することができる。なお、バーコード以外の記録媒体として二次元コードを採用しても良い。
【００３２】
次に、調剤業務の概略の流れについて、図３に示すメインフローチャートにしたがって説明する。通常、処方箋には、処方者（医師）名、処方の年月日（処方箋発行日）、患者名、患者の生年月日、処方された薬剤の品目、数量、朝夕または毎食後等の服用の時期、服用量等の処方内容（処方データ）が記入されている。
【００３３】
図３において、まず、患者等が持参してきた処方箋を調剤薬局の窓口にて受け取る（Ｓ１）。なお、図示しない処方箋受付機にて処方箋受付番号票（後に薬剤との引換券となる）を、前記患者等に発行する。小規模の調剤薬局では、窓口が混雑しないから、前記処方箋受付番号票を発行しないことがある。
【００３４】
先会計システムの場合には担当作業者が受け取った処方箋に記載の内容を処方データとしてレセプト用コンピュータ１ａに入力する（Ｓ２）。後会計システムの場合には、専用コンピュータ１ｂに入力する（Ｓ２）。先会計システムとは、受け取った処方箋に記載の内容から予め会計計算を実行し、その後にピッキングされた薬剤が処方箋に記載の内容と合致しているか否かを照合するシステムであり、後会計システムとは、ピッキング作業及びその鑑査を実行した後、実際に患者に手渡す薬剤について会計計算を実行するものである。
【００３５】
次いで、前記入力されたデータ（処方データという）が処方箋に記載の内容と一致しているか否かの照合や、禁忌等の不都合なものでないか等を鑑査するという処方箋入力鑑査は別の担当者が実行する（Ｓ３）。その場合の入力作業は前記ハンディターミナル（ＨＴ）５やレセプト用コンピュータ１ａまたは専用コンピュータ１ｂのいずれでも良い。
【００３６】
次いで、ピッキング作業を実行する（Ｓ４）。この作業は、通称ハンディターミナル５を使って実行する。その後、前記ピッキングされて収集かご２０に入れられた同一品目の薬剤の種類（品名）及び数量が適正（正しい）か否かのピッキング鑑査（数量鑑査）を担当者（薬剤師）が実行する（Ｓ５）。その後、患者と対面しながら収集かご２０内の薬剤を薬袋に入れながら、当該患者に投薬方法、服用量等の服用上の注意を指導する（Ｓ６）。このときも、前記ハンディターミナル５等を見ながら実行する。この投薬・服用指導が完了すれば、薬袋を患者に手渡し（Ｓ７）、会計も実行する。
【００３７】
調剤薬局では、前記受け取った処方箋の内容を処方データとしてレセプト用コンピュータ１ａに入力する（Ｓ２）。前記コンピュータ１ａでは、処方箋受付番号ごとに、調剤すべき患者を特定するための患者識別コードと、処方データと、調剤に必要なメッセージが記憶される。本実施形態では患者識別コードの一例として、前記処方箋受付番号が用いられるが、患者名及びその生年月日にて特定するようにしても良い。また、前記コンピュータ１ａには、予め、薬剤名とそれに対応するバーコード（ＪＡＮコード等をいい、符号化データと称する）とが対の関係にてデータベース化されて、メモリ（ハードディスク等）に記憶されている。現在の健康保険請求業務では製品名と厚生省コード（現厚生・労働省コード）とが対応するようにした医薬品識別コードが公開されて、利用されている。また、これに各製薬会社が自己の製品とＪＡＮコードにて対応付けしたデータベースが市販（公表）されているので、このデータベースを利用すると、新製品の発表にも迅速に追従することができる。
【００３８】
調剤データは、前記処方データから、実際に必要な薬剤とその調剤量（錠数）とを演算したものである。例えば、処方箋にＡＡＡ錠（0.5mg ）を３錠で１４日分（１日３回毎食後）とあるとき、調剤量は、３×１４日＝４２錠となる。また、ＢＢＢカプセル100mg が３カプセルで５日分（１日３回毎食後）とあるときには、調剤量は、３×５日＝１５カプセルとなる。同様にして、ＣＣＣ細粒（1.5g）で１４日分（１日３回毎食後）とあるとき、調剤量は、ＣＣＣ細粒の0.５ｇ入包みで３×１４日＝４２包必要ということになる。
【００３９】
処方箋受付番号ごとに、調剤すべき患者を特定するための患者識別コードと、調剤データと調剤に必要なメッセージとを、前記レセプト用コンピュータ１ａから、調剤専用のコンピュータ１ｂに有線ＬＡＮ等にて伝送する。これらの場合、コンピュータ１ａ、１ｂには、製品名と厚生省コード（現厚生・労働省コード）とが対応するようにデータベースが格納されており、前記コンピュータ１のメモリ内に、前記厚生省コードとＪＡＮコードとが対応付けされたデータが格納されていると、ハンディターミナル５にて読み取ったＪＡＮコードが厚生省コードと対応していることが判別できれば、製薬会社が異なっていても少なくとも薬効が同じ薬剤を選択できたことになる。
【００４０】
処方箋入力鑑査では、調剤すべき患者を特定するための患者識別コードと、調剤データ（薬剤名、調剤量等を含む）と、調剤に必要なメッセージ等のレセプト用コンピュータ１ａ内に入力（記憶）させた内容を、処方箋受付番号ごとに、用紙に印刷し、この印刷物（調剤箋という）と処方箋との内容を対比して誤りがないか、否かを照合する。レセプト用コンピュータ１ａへの入力誤りが有れば、再度誤り個所の訂正入力作業を実行する。前記両者の内容が一致しておれば、調剤担当者に処方箋を手渡し、当該調剤担当者（以下、単に担当者という）がハンディターミナル５を使って調剤作業（ピッキング作業）を実行する。
【００４１】
なお、担当者を特定し、後の作業や業務管理に提供するため、前記専用コンピュータ１ｂのメモリ（ハードディスク）内には、１乃至複数の担当者名とその担当者を特定するためのＩＤコード（バーコード形式を含む）を予め記憶させておく。
【００４２】
ピッキング作業では、担当者は、任意のハンディターミナル５を使用し、その電源をＯＮにして立ち上げる。これにより、専用コンピュータ１ｂと無線ＬＡＮ６を介して接続（アクセス）され、当該ハンディターミナル５の画面表示部（液晶タッチパネル）１８には、所定の開始ページの画面が表示される。
【００４３】
次に、開始ページにおける機能選択を実行するため、画面表示部１８における「薬剤ピッキングシステム」のボタンの個所をタッチし、次の画面が表示され、その「担当者変更」のボタンの個所をタッチし、次いで、当該ハンディターミナル５にて、担当者のＩＤを示すネームプレート等に付されたバーコード部を読取る。読み取られた担当者のＩＤのデータは専用コンピュータ１ｂに伝送され、予め登録された担当者のデータと照合し、担当者名がハンディターミナル５に伝送され画面表示部１８に表示させる。
【００４４】
この画面に表示された複数の処理を選択するボタンのうち、「ピッキング」のボタンをタッチすると以下に述べるピッキング処理のための、ピッキングデータ（調剤データ）を参照できる画面に移る。
【００４５】
前記「ピッキング」のボタンをタッチすることで、所定の画面に移る。この画面において、担当者は、「担当者」の欄の氏名が自己のものであることを確認した後、持参している処方箋を見ながら、「処方箋受付番号入力欄」と、「受付日付入力欄」とに各々入力する。処方箋に処方箋受付番号のバーコードが添付されているときには、これをハンディターミナル５にて読取ることにより入力しても良い。これらの入力値を確認して、「ＯＫ」ボタンの個所をタッチする。対応する患者名が専用コンピュータ１ｂにて見つかると、次の画面に移る。この画面では、「担当者」の欄の他、表示欄と、処方チェックの有無を示す確認欄と、ＯＫボタン、メインボタンとが表示される。表示欄には、前記入力された処方箋受付番号に対応する患者名を専用コンピュータ１ｂで照合して合否のデータをハンディターミナル５の画面表示部１８に示す。処方チェックとは、前記レセプト用コンピュータ１ａや専用コンピュータ１ｂに記憶されている薬剤に関する注意事項であり、患者の履歴、または他の病院等で処方された薬剤等から、複数同時服用の場合の薬剤の相互作用チェック、投与量過多チェック、長期間の連続服用禁止チェック、類似成分薬剤の重複投与禁止チェック等のデータであり、処方チェックの確認欄に「有り」と表示されたときには、担当者はこれを確認して、処方箋の内容を変更することを検討するように、医師等に連絡すべきである。
【００４６】
前記画面で、ＯＫボタンの個所をタッチすると、次の画面に移る。この画面は、バーコード照合のための画面であり、「担当者」の欄の他、調剤（ピッキング）すべき全薬剤数（分母）と処理済み薬剤数（分子）とで示す処理件数表示欄と、バーコード読取り表示欄等が表示される。前記処理件数表示欄の分子が「０」のときには、ピッキング処理が「０」であることを示し、ピッキング処理を１つ完了するごとに数字（分子）が増大する。
【００４７】
次いで、薬剤師等の担当者は、前記処方箋を見て、調剤棚における目的の（調剤すべき）薬剤収納箱を薬剤名ラベルから見つけ出し（選択し）、薬剤収納箱におけるバーコード部にハンディターミナル５の読取り部からの光を照射してバーコード（符号化データ）を読取ると、前記バーコード読取り表示欄に所定のＪＡＮコードが表示される。
【００４８】
前記入力されたＪＡＮコードは、ハンディターミナル５から専用コンピュータ１ｂに伝送され、ここで前記入力してある調剤データと照合し、合致している（正しい）と、自動的に次の画面に移る。この画面では、前記正しい「ＪＡＮコード番号」表示欄と、このＪＡＮコード番号に対応する薬剤名表示欄と、注意事項（メッセージ）表示欄と、処理件数表示欄等とが表示される。前記薬剤表示欄では薬剤の名称及び形態、数量、及び有効成分量等の表示を含んで表示される。また、処理件数表示欄では、調剤すべき全薬剤数（分母）と処理済み薬剤数（分子）とで示される。
【００４９】
この画面を参照しながら、処方箋に従って、これらに記載されている調剤量（処方量、錠数等）だけ、薬剤収納箱から所定の薬剤を取り出し、該薬剤は収集かご２０に入れる。その場合、薬剤が錠剤の形態の場合には、その１錠ずつに区分された状態でヒートシールされ、例えば１０錠分または２０錠分を１シートとした集合包装体２１であり、散薬の場合には一回の服用分の量毎に分包された包装体２２であるから、所定の数量分の同一品目の薬剤毎に集合包装体２１や前記包装体２２を帯状に連ねた帯状集合包装体を輪ゴム２３等にて束ねる（図２参照）。
【００５０】
処理件数表示欄を観察して、未調剤の薬剤があれば、前記処方箋を見ながら、続いて薬剤のピッキング作業を繰り返す。
【００５１】
処理件数表示欄を参照して、ピッキング（調剤）処理の漏れがないかを確認し、漏れが無いと担当者が認識したときには、前記各画面で「受付入力へ」のボタンをタッチする。これにより、ハンディターミナル５の画面をメインメニュー表示画面に戻し、一つの処方箋に対するピッキング（調剤）作業を終了し、前記収集かご２０を受付窓口に戻す。
【００５２】
尚、プリンタ１０にて薬袋と薬剤情報箋２４とを印刷作成し、それを収集かご２０に入れる。その後、カウンタ箇所（窓口）等で、薬剤師が、前記収集かご２０に入れられた薬剤の名称（薬剤品目名）とその収集された数量とを鑑査するというピッキング鑑査（数量鑑査）を実行した後、前記処方箋受付番号票と引き換え、または処方箋受付番号の人を呼び出して、該当する患者名を確認し、薬剤と薬剤情報箋２４と処方箋とを照合する最終確認の上、且つ薬剤の用法等を患者等に説明（服薬指導）しつつ、薬袋に移しかえて引き渡し、レセプト用（薬価計算用会計用、健康保険請求業務用）コンピュータ１ａにて清算するのである。
【００５３】
次に、ピッキング鑑査（数量鑑査）の作業（方法）の第１実施形態について、図４〜図１４を参照しながら説明する。ピッキング鑑査（数量鑑査）の作業のための装置は、図１及び図４のブロック図に示すように、専用コンピュータ１ｂ等の電子処理装置１と、秤量した値（データ）をデジタル信号にて出力できる電子天秤１４と、表示装置（画面表示部１８）と入力部とを備えた液晶のタッチパネルもしくは情報端末としての液晶のタッチパネル付きの小型コンピュータ１３とを少なくとも備える。
【００５４】
電子処理装置１（１ｂ）は、前述したように、処方箋の内容を入力した処方データと、薬剤データベースとが記憶されるか、または別サーバコンピュータ等に記憶された前記処方データ及び薬剤データベースから参照可能に構成されている。薬剤データベースには、前述した厚生省コード及びＪＡＮコードの他、薬剤単位重量データが含まれる。薬剤単位重量Ａｏとしては、前述した錠剤１錠ずつの単位にヒートシールされたもの、及び散薬が１回服用分毎の量ずつヒートシールされたものの重量である包装単位重量と、錠剤が裸のままでの１錠毎の重量（裸錠単位重量）とがあり、裸錠単位重量のデータは、通常、医療用医薬品添付文書等に記載されているものを入力する。
【００５５】
包装単位重量のデータを得るには、後に詳述するように、前記最小単位のヒートシール体（単位包装体）がミシン目を介して１０錠〜２０錠毎に集合された集合包装体２０を例えば１００錠分まとめて前記電子天秤１４にて秤量し、その秤量値を錠数で除すことにより得られる。なお、実施例における電子天秤１４の秤量精度は１ｍｇ（千分の一グラム）である。
【００５６】
この包装単位重量のデータと、薬剤名に対応するＪＡＮコードとは、後述するようにして電子処理装置１（１ｂ）に伝送されて記憶保持される。図４に示すごとく、電子処理装置１（１ｂ）には調剤鑑査のためのプログラムが予めインストールされている。
【００５７】
図５は、ピッキング鑑査の（数量鑑査）ためのフローチャートを示す。前記画面表示部１８に、薬剤鑑査の初期画面No.1（図６参照）が表れる。ここには、「調剤重量鑑査」ボタン３０と、「患者検索」ボタン３１と、「薬品重量登録」ボタン３２と、「プロパティ」ボタン３３と、「終了」ボタン３４とが表示されている。「調剤重量鑑査」ボタン３０をタッチすると、図７の画面No.2の担当者入力画面が表れる。ここの「担当者」の欄３５は空欄であるので、ピッキング鑑査を行う担当者を特定するためのその入力を行う（図５のＳ１０参照）。そのためには、前記の調剤作業時と同様に、バーコードリーダ１５にて、担当者のＩＤを示すネームプレート等に付されたバーコード部を読取る。読み取られた担当者のＩＤのデータは専用コンピュータ１ｂに伝送され、予め登録された担当者のデータと照合し、担当者名が画面表示部１８に表示される。担当者は、「担当者」の欄の氏名が自己のものであることを確認した後、「ＯＫ」ボタンの個所をタッチする。これにより図８の処方箋受付番号入力の画面No.3が表れる。この画面No.3の「処方箋受付番号入力欄」３６と、「受付日付入力欄」３７とに、処方箋もしくは薬剤情報箋２４を見ながら、各々入力する（図５のＳ１１参照）。その入力は画面No.3に表示されているキー入力ボタン３８の箇所でも良いし、処方箋に処方箋受付番号のバーコードが添付されているときには、これをバーコードリーダ１５にて読取ることにより入力しても良い。これらの入力値を確認して、ＯＫボタンの個所をタッチすると、次の画面No.4（図９）に移る。この画面No.4は処方データ等が表示されるものであり（図５のＳ１２参照）、処方箋受付番号欄、受付日付欄、患者氏名欄の他、「薬剤品目名（医薬品名）」欄３９、「処方量」欄４０、pik （ピッキング作業済みか否かの確認）欄４１、「計数量」欄４２、「誤差」欄４３、「修正」欄４４、「ＯＫ」欄４５、「鑑査者」欄４６等が表示される。なお、服用時毎に複数品目の薬剤を１つの包装袋に入れる１包化する場合、例えば、４品目の薬剤を１日３回服用で１４日分が処方されたときには、各包装袋に４品目の薬剤が入れられたものが４２袋手渡されるようにするため、ピッキング鑑査でも１包化のための複数品目の薬剤であることを、前記画面No.4の左端のRp欄４７にて確認できるようにしている。
【００５８】
前記画面No.4では、No.1〜No.4の４品目の薬剤（実施例では、テオドール錠100mg 、ヘルベッサ錠30mg、カルデナリン錠、シンレスタール錠）はピッキング作業済みであり、且つその各々の薬剤の処方量（薬剤の数量）は、テオドール錠100mg が42錠、ヘルベッサ錠30mgが42錠、カルデナリン錠が42錠、シンレスタール錠が14錠であることが表示されている。
【００５９】
次に、前記図２に示す収集かご２０内の薬剤の束（集合包装体２１）を取り出し、その薬剤名を確認して画面No.4の「薬剤品目名（医薬品名）」欄３９の所定の薬剤の箇所をタッチし、または、集合包装体２１に付されている識別コードまたは集合包装体に埋め込まれたＩＣチップの識別データを読取って秤量すべき薬剤を特定した後（これにより、表示画面１８の所定の薬剤品名の行の色が変化する）、電子天秤１４に前記薬剤の束を載せる。電子天秤１４では秤測安定時期になると、その秤量データ（重量データＸｏ）を電子処理装置１に伝送する。これにより、同一品目（一品目）の薬剤ごとの総重量（収集総重量Ｘｏ）を秤量する（図５のＳ１３参照）。電子天秤１４での重量データＸｏは電子処理装置１に伝送される。電子処理装置１は前記秤量した品目の薬剤の薬剤単位重量Ａｏを前記データベースから呼出して収集総重量Ｘｏを薬剤単位重量Ａｏにて除する演算を実行し（図５のＳ１４参照）、その薬剤の数量（錠数）を求めるという計測薬剤数量Ｙのデータを得る。この計測薬剤数量Ｙのデータは整数のほか、小数点付きのデータに成り得る。さらに、電子処理装置１は、計測薬剤数量Ｙと処方量Ｙｏとを比較して過不足の数量適否判別のフローを行う。実施例では、処方量Ｙｏと計測薬剤数量Ｙと差の小数点第１位を四捨五入して、一致するか否かを判別する（図５のＳ１５参照）。一致すると判断する（図５のＳ１５：yes ）場合には、前記図１０における画面No.5の「誤差」欄４３に前記演算された誤差を表示する（図５のＳ１６参照）。そして図１０における「ＯＫ」欄４５をタッチすると、電子処理装置１で、ピッキング鑑査（数量鑑査）で正しいとして、記憶保持される。
【００６０】
電子処理装置１が不一致と判断する（図５のＳ１５：no）場合には、処方量Ｙｏと計測薬剤数量Ｙと差（誤差量）は図１０における画面No.5の「誤差」欄４３に表示されて、作業者にも理解できる。不一致の場合には、前記画面表示部１８には図１１の画面No.6のように「数量を確認して下さい」等の警告表示が表れる（図５のＳ１７参照）。そのとき、同時にブザー等の警告音を発生させるようにしても良い。このようにして計測した数量と処方量とが一致しないときには作業者に注意を喚起できる。前記不一致の場合を示すエラー表示画面は作業者に目立つようにすべきである。
【００６１】
担当者が確認したとき、「確認」ボタン４８をタッチすると、図１０の画面No.5に戻るので、「修正」ボタン４４をタッチした後、作業者は、前記電子天秤１４に載せた薬剤の束の数量を計算し直し、その後再度Ｓ１３〜Ｓ１６を実行する。
【００６２】
なお、図１２の画面No.7は、秤量すべき薬剤の量が多いため、電子天秤１４の一度の秤量限度を超える場合について、薬剤の束を複数に分割して、数度に分けて秤量するためのものである。複数回に分けて秤量するときには、図９乃至図１０において前記１回目の秤量後に「＋」欄５０をタッチして、前記分割した別の薬剤束を電子天秤１４に載せ、秤測安定時期になると、前記１回目の秤量値に今回の秤量値を加えた加算重量のデータが、電子処理装置１に伝送される。図１２の画面No.7では、左から番号Ｎｏは秤量作業の回数、処方量、１回当りの薬剤の計量数（錠数）、残数（処方量−計量数）、累計（秤量済の薬剤数）、計量値（１回当りの秤量（重量）を示す欄５１が表れる。従って、実施例において、第１回目の秤量作業では、９錠を秤量したので、残量は処方量２８に対して９錠の計量数を引いて−１９（錠）となり、この錠数だけ不足していることを示す。また第１回の秤量作業による重量は４．０ｇであったことを示している。同様に、第２回目の秤量作業でも、９錠を秤量したので、残量は−１０（錠）であり、第３回目の秤量作業でも、９錠を秤量したので、残量は−１（錠）となるから、第４回目の秤量作業で１錠だけ秤量すれば良いことが理解できる。
【００６３】
図９の画面で表示された薬剤の全てについて数量鑑査は前記の作業を繰り返して、１つの処方箋についてのピッキング鑑査を終了する。次の処方箋に対するピッキング数量鑑査を実行するには、図１０の画面No.5における「次鑑査へ」ボタン４９をタッチすることにより、図８の画面No.3に戻るから、ここで、次のピッキング鑑査すべき処方箋受付番号を入力するなどを実行すれば良い。ピッキング鑑査の作業を終了するときには、画面No.3〜No. 6 において、「終了」ボタン５２をタッチする。
【００６４】
なお、ピッキング鑑査（数量鑑査）の結果を１処方箋毎に印刷して出力することができる。また、数量鑑査する薬剤の品目毎に、その計量した集合包装体２１等の束等の姿をデジタルカメラにて撮影して、その画面データを処方箋ごとの調剤データとして記憶保存しておけば、後に調剤ミスとして訴訟になる等のトラブルに対しても、数量間違いや品目間違いが無かったことの証拠として利用可能となる。
【００６５】
次に、包装単位重量のデータを得て、電子処理装置１に入力する作業について説明する。図７の画面No.2において、この作業の担当者を特定する方法は前記ピッキング鑑査と同じように行い、「薬品重量登録」ボタン３２をタッチすると、図１３の画面No.8に示す薬品重量登録画面に移る。この画面No.8では、ＪＡＮコードの入力欄５３と、このＪＡＮコードに対応する薬剤の品目の表示欄５４と、計量数の入力欄５５と、タッチ式のテンキー入力部５６と、担当者変更欄５７と、電子天秤１４による計量重量表示欄５８と単位重量の表示欄５９と、「登録」ボタン６０と、「印刷」ボタン６１と、「終了」ボタン６２とが表れている。薬品重量登録すべき薬剤の収納箱等に付されているバーコード（符号化データ）をバーコードリーダ１５にて読取ると、電子処理装置１に伝送され、その中のデータベースから対応する薬剤品目がその梱包数量（錠数）と共に表示欄５４に表れる。画面No.8に示す実施例では、シンレスタール錠は、１００錠単位で梱包されているものとする。この梱包数量は、例えば前記最小単位のヒートシール体（単位包装体）がミシン目を介して１０錠〜２０錠毎に集合された集合包装体２０を例えば１００錠分まとめたものとする。この１００錠の値を前記テンキー入力部５６した後、前記電子天秤１４に載せる。秤量安定したときの、前記１００錠分のヒートシールした包装体を含む総重量（秤量値）のデータは量重量表示欄５８に表れ、そのデータは電子処理装置１に伝送される。電子処理装置１にて、前記総重量を計測した錠数（１００錠）で除すことにより、最小単位のヒートシール体シンレスタール錠の１錠分の重量、即ち薬剤単位重量（最小包装単位重量）のデータが得られ、これを単位重量の表示欄５９に示すと共に、「登録」ボタン６０のタッチにより、電子処理装置１におけるデータベースには、対応するＪＡＮコードに添付されて登録、記憶される。このような作業を全ての薬剤に関して実行することで、調剤薬局にて実際に使用される薬剤の包装状態の薬剤単位重量（最小包装単位重量）のデータを、対応する薬剤のＪＡＮコードに関連付けられたデータベースが作成できる。このような、薬品重量登録のためのソフトアプリケーションを備えていると、いままで発売されていなかった新薬や新しく購買した薬剤を、調剤のデータに加えるアップグレードの作業が至極簡単且つ迅速に行えるのである。
【００６６】
なお、前記集合包装体２１等を複数束ねるときに使用する輪ゴム２３やヒートシール体等の包装体を束ねるための帯封等の風袋（以下同じ）の重量も予め秤量して、そのデータを電子天秤１４または電子処理装置１に記憶させておき、前記数量鑑査（計数鑑査）時の包装体を含む総重量（秤量値）のデータから、前記風袋の重量を差し引くことで、収集総重量の計測値を正確にすることはいうまでもない。
【００６７】
さらに、散薬の場合に、一回の服用分の量毎に分包された包装体２２の数Ｎ（前記収集かご２０に入っている数）を計数するには、まず、前記１回分の包装体２２のみの重量（風袋重量Ｚ）のデータを予め記憶させておく。そして、散薬の調剤時に計量された当該散薬の総重量Ａと分包数Ｎとのデータが電子処理装置１に記憶されているものとする。
【００６８】
前記包装体２２が帯状に連なった帯状集合包装体を前記収集かご２０から取り出して電子天秤１４にて秤量すると、その収集総重量Ｘｏ＝Ａ＋ＮＺであるから、電子処理装置１にてＸｏ−Ａ＝Ｔの演算を実行した後、このＴを前記風袋重量Ｚで除した値Ｙ＝（Ｔ／Ｚ）をＮと比較して判定する。これにより前記収集した散薬の分包数が適正であるか否かが判断できるのである。従って、分包散薬の数量鑑査も可能となるのである。
【００６９】
図１４に示す画面No.9は前記ピッキング作業時、ピッキング鑑査時、その後、患者に調剤した薬剤を手渡す時（服薬指導時）等において、処方箋に記載された患者が当調剤薬局にて以前に調剤されていた場合や、病院等からの服薬上の注意事項がある場合、または複数の病院等で処方された薬剤の重複投薬、禁忌等のデータを検索するときの患者検索のためのものであって、画面No.9内のタッチキー式の入力部６３で患者名を入力し、またその生年月日の数字入力欄６４に入力し、「検索」ボタン６５をタッチすることで、直ちに、所定のデータを呼び出せるのである。
【００７０】
薬剤の数量鑑査の第２実施形態は、一品目の薬剤数量を求める演算を行うのではなく、その一品目の薬剤の計測収集総重量Ｘｏと理論総重量（総和値）Ｔｏとの比較から薬剤の数量の適否を判別（判断）するのである。その一例として、薬品名Ａ１に関して、その薬剤単位重量をａ１、処方箋量Ｙとし、計測収集総重量Ｘｏ（風袋重量Ｚを含む）とするとき、Ｘｏ／（ａ１・Ｙ）の比率を求め、この比率が所定の誤差範囲以内であれば、薬剤収集量は適正であったとし、誤差範囲を越えると不適とする。または、これを百分率で表示するように演算しても良い。この場合の実施形態における許容誤差は％表示で０〜１０％の範囲で任意に設定できる。前述した散薬の場合についても同様の演算により適否を判別することができる。
【００７１】
薬剤の数量鑑査の第３実施形態は、複数品目の薬剤についての数量を一挙に鑑査するものであって、例えば、薬品名Ａ１に関して、その薬剤単位重量をａ１、処方箋量Ｙａ１とし、薬品名Ｂ１に関して、その薬剤単位重量をｂ１、処方箋量Ｙｂ１とする。電子天秤１４にて収集した薬品名Ａ１の収集総重量をＸａ１とし、薬品名Ｂ１の収集総重量Ｘｂ１とするとき、電子天秤１４にて実際に薬品名Ａ１及びＢ１を集めて一挙に計測値（収集した計測収集総重量Ｘｏ＝（Ｘａ１＋Ｘｂ１）とする。
【００７２】
そして、薬剤の数量鑑査の適否の演算形式（アルゴリズム）として、理論的収集総重量（総和値）Ｔｏ＝（ａ１・Ｙａ１＋ｂ１・Ｙｂ１）と計測収集総重量Ｘｏ＝（Ｘａ１＋Ｘｂ１）とを比較する。その一法として、Ｘ０をＴｏで除した値が１に極めて近く所定の許容誤差範囲内( 0.1 〜1.0 内であり、好ましくは0.5 以内) にある場合、例えば、誤差を０．２とするときには、0.98≦（Ｘ０／Ｔｏ）≦1.02の状態では適正であり、これを越えると収集した数量に間違いがあったと見做すのである。これに代えて百分比率の演算であっても良い。
【００７３】
例えば、誤差値５％以内を適正とする演算、即ち、［１−（Ｘ０／Ｔｏ）］×１００の絶対値が５（％）以下であるときには、薬剤の収集量が適正であったと判別し、５（％）を越えると不適（数量間違い）と判別するのである。
【００７４】
また、朝、昼、晩の服用時に同時に複数品目の薬剤を服用させたい場合に、この複数品目の薬剤を服用時毎に分包（帯状集合包装体）して調剤することがある。その場合に、上記第３実施形態においても、分包する包装体（帯状集合包装体等）の風袋重量を含めて計測（秤量）し、この風袋重量の影響を誤差範囲に考慮することができる。本発明において、前記品目毎の薬剤単位重量に薬剤の処方数量を乗じた値の総和値と、前記収集総重量とを比較する演算とは、前記総和値と、前記収集総重量と比率または百分比率の演算、もしくは収集総重量から総和値を引き算する演算等を含む意味である。引き算の場合には結果値（正負を含む）が零に近い程正しいことになり、その差値が許容範囲内であれば薬剤の収集量が適正であったと判別すれば良い。
【００７５】
図１５〜図１８は、複数品目の薬剤を同時に秤量して後、百分率演算して薬剤の収集量の適否（合否）を判別する実施形態を示し、図１５に示す画面No.10 は、その薬剤鑑査（重量鑑査）の第１画面であって、ピッキング（ＰＱ）終了した第１番目「０１」の横欄には、服用名称「朝・昼・晩食後３０分に服用」とあり、以下の３つの薬剤を同時に服用するものとする。そして、それらの下の欄には、薬剤名（日本語薬品名）の欄から右に向かって順に、散薬である「オースギ大柴胡湯エキスＧ」とその数量「１０５」とチェック済み数量「１０５」と単位「包」、理論的重量「8.610 」ｇ（グラム）、チェック（ＣＫ）の順番「１」が表示されている。同様に、薬剤名（日本語薬品名）「25mgアリナミンＦ糖衣錠」、数量「４２」、チェック済み数量「４２」と単位「錠」、理論的重量「4.672 」ｇ（グラム）、チェック（ＣＫ）の順番「１」が表示されている。さらにその下の欄には、薬剤名（日本語薬品名）「ガナトン錠50mg」、数量「４２」、チェック済み数量「４２」と単位「錠」、理論的重量「3.780 」ｇ（グラム）、チェック（ＣＫ）の順番「１」が表示されている。
【００７６】
そして、画面No.10 における１回目計量の欄７０には、前記３つの薬剤の理論的収集重量（総和値）の欄７０には「17.262」ｇ（グラム）の表示が出る。これらの３つの薬剤を同時に重量鑑査するに際して、電子天秤１４の秤量範囲を越えると判断されるときには、図１６に示す画面No.11 において、「オースギ大柴胡湯エキスＧ」をタッチ（指示）して画面色を反転させる。すると、右端のチェック（ＣＫ）の順番「１」が「２」に変更される。同時に１回目計量の欄７０の表示値が「8.652 」ｇ（グラム）と変更され、「25mgアリナミンＦ糖衣錠」と「ガナトン錠50mg」とが同時に秤量できる状態（チェック（ＣＫ）の順番「１」）であることが分かることになる。
【００７７】
次いで、図１６に示す画面No.11 における薬剤名などの欄の上の風袋入力欄７２で、所定の風袋の種類と数量を入力する。輪ゴムの欄にはその大きさ「大」、「中」、「小」のサイズ指定ボタンと数量入力欄があり、サイズ指定ボタンの箇所をタッチして活性化すると、タッチ式テンキーボタン７１が表れるので、ここで数量（本数）を入力する。同様に帯封の場合もそのサイズ指定と数量（本数）をタッチ式テンキーボタン（図示せず）にて入力できる。画面No.11 では、輪ゴムの欄の大きさ「中」を活性化したタッチ式テンキーボタン７１にて「２」の箇所をタッチしてエンターボタンを押下したものである。なお、袋状の風袋の場合もその指定と数量を入力できる。また、画面No.10 〜No.12 のいずれデモ、誤差値指定欄７３にて許容すべき誤差値を入力することができる。
【００７８】
次いで、図１７に示す画面No.12 が表示され、ここで、電子天秤１４に、収集された「25mgアリナミンＦ糖衣錠」と「ガナトン錠50mg」の束を同時に載せて秤量する。秤量結果は計量値欄７４に表示される。画面No.12 は適正な場合を示し、値は「8.91」ｇ（グラム）と表示され。この値の誤差は0.7 ％であるから、薬剤の収集量は適正であったことが分かる。その場合、は次の薬剤品目の秤量に移る。
【００７９】
もし、薬剤の収集量が不適である場合には、図１８に示す画面No.13 が表示され、計量値欄７４には理論的収集重量（総和値）からはるかに離れた値が表示され（図示実施形態では、「17.92 」である) 、且つ「数量が違います」等の警告表示の画面７５が表示される。これにより、鑑査者は確実に誤りに気づき、画面７５の「ＯＫ」ボタンを押下した後、薬剤数量の再度の計数作業等のチェック、秤量を行うのである。
【００８０】
このようにして、複数品目の薬剤であっても同時に秤量（重量計測）して、調剤した薬剤数量の鑑査を精度良く、且つ適否を確実に実行できるのである。
【００８１】
なお、ピッキング作業用及び数量鑑査用コンピュータもしくはレセプト用（健康保険請求業務用）コンピュータ、又は専用コンピュータとを別々にして、これら複数のコンピュータ間をＬＡＮ（ローカル・エリア・ネットワーク、構内通信網) にて接続してデータ交換可能に構成しても良いし、これらの業務（作業）を１つのコンピュータにまとめても良い。
【図面の簡単な説明】
【００８２】
【図１】本発明の薬剤検品システムのブロック図である。
【図２】数量鑑査の状態を示す電子天秤等の斜視図である。
【図３】調剤作業全体の流れを示すメインフローチャートである。
【図４】本発明のピッキング鑑査（数量鑑査）のための装置のブロック図である。
【図５】ピッキング鑑査（数量鑑査）の流れを示すフローチャートである。
【図６】画面表示部に現れる画面No.1の図である。
【図７】画面表示部に現れる画面No.2の図である。
【図８】画面表示部に現れる画面No.3の図である。
【図９】画面表示部に現れる画面No.4の図である。
【図１０】画面表示部に現れる画面No.5の図である。
【図１１】画面表示部に現れる画面No.6の図である。
【図１２】画面表示部に現れる画面No.7の図である。
【図１３】画面表示部に現れる画面No.8の図である。
【図１４】画面表示部に現れる画面No.9の図である。
【図１５】画面表示部に現れる画面No.10 の図である。
【図１６】画面表示部に現れる画面No.11 の図である。
【図１７】画面表示部に現れる画面No.12 の図である。
【図１８】画面表示部に現れる画面No.13 の図である。
【符号の説明】
【００８３】
１、１ａ、１ｂ    電子処理装置（コンピュータ）
３    無線ＬＡＮアクセスポイント
４    有線ＬＡＮ
５    ハンディターミナル
６    無線ＬＡＮ
７    電子式秤量装置
８    ルータ
９    インターネット
１３    情報端末としての小型コンピュータ
１４    電子天秤
１５    バーコードリーダ
１８    画面表示部
２０    収集かご
２１    集合包装体
【図１】
2004216144.tif 000003
【図２】
2004216144.tif 000004
【図３】
2004216144.tif 000005
【図４】
2004216144.tif 000006
【図５】
2004216144.tif 000007
【図６】
2004216144.tif 000008
【図７】
2004216144.tif 000009
【図８】
2004216144.tif 000010
【図９】
2004216144.tif 000011
【図１０】
2004216144.tif 000012
【図１１】
2004216144.tif 000013
【図１２】
2004216144.tif 000014
【図１３】
2004216144.tif 000015
【図１４】
2004216144.tif 000016
【図１５】
2004216144.tif 000017
【図１６】
2004216144.tif 000018
【図１７】
2004216144.tif 000019
【図１８】
2004216144.tif 000020